(57)【要約】【課題】透光性を有する容器内の薬剤を、揮発薬剤透過部材を用いて徐々に拡散させる場合に、薬剤の残量を、正確に、かつ、違和感を感じることなく把握できるようにする。【解決手段】揮発性を有する液状の薬剤Ａを収容するとともに、収容した薬剤Ａを視認可能な透光性を有する容器１と、容器１の開放部分を覆うように配設され、揮発した薬剤を通し、かつ、揮発していない薬剤を通さないように構成された揮発薬剤透過部材２とを備えた薬剤収容具３において、揮発薬剤透過部材２は、樹脂材からなり、薬剤Ａが含有する溶剤成分による膨潤率が５％以下に設定されている。【選択図】図１
2014094752.tif 000002
【特許請求の範囲】
【請求項１】
揮発性を有する液状の薬剤を収容するとともに、収容した薬剤を視認可能な透光性を有する容器と、
上記容器の開放部分を覆うように配設され、揮発した薬剤を通し、かつ、揮発していない薬剤を通さないように構成された揮発薬剤透過部材とを備えた薬剤収容具において、
上記揮発薬剤透過部材は、樹脂材からなり、薬剤が含有する溶剤成分による膨潤率が５％以下に設定されていることを特徴とする薬剤収容具。
【請求項２】
請求項１に記載の薬剤収容具において、
上記揮発薬剤透過部材の膨潤率は、３％以下に設定されていることを特徴とする薬剤収容具。
【発明の詳細な説明】
【技術分野】
【０００１】
本発明は、揮発性を有する薬剤を収容する薬剤収容具に関し、特に、収容した薬剤を徐々に拡散させる構造の技術分野に属する。
【背景技術】
【０００２】
従来から、例えば図４に示すように、揮発性を有する薬剤Ａを収容するトレイ形状の容器１と、容器１の開放した部分を覆うフィルム２とを備えた薬剤収容具３が知られている（例えば、特許文献１参照）。フィルム２は、揮発した薬剤は透過させるが、揮発していない薬剤は透過させない性質を持った樹脂製のものである。また、容器１は、透光性を有している。従って、内部の薬剤Ａの残量を容器１の外部から視認することが可能になっている。
【先行技術文献】
【特許文献】
【０００３】
【特許文献１】特開２０１２−１４７７１５号公報
【発明の概要】
【発明が解決しようとする課題】
【０００４】
ところで、フィルム２の原料となるポリマーは、結晶部と非結晶部とが存在することから、薬剤Ａの成分のうち、特に溶剤の分子がポリマーの非結晶部に入り込むことがある。こうなると、ポリマーの体積が増大してフィルム２が膨潤する。
【０００５】
本発明者らは、このフィルム２の膨潤が問題となる場合があることを発見した。すなわち、特許文献１では、薬剤Ａを着色し、容器１を上下方向に長い形状として透光性を持たせることによって薬剤Ａの残量を使用者が把握できるように、インジケーターとして利用可能にしている。このような前提構成のもとでフィルム２が膨潤すると、フィルム２に弛みが発生することになる。すると、図４に示すように、重力の影響で内部の薬剤Ａが下に多く溜まるようになり、フィルム２の下側が容器１の外方へ膨らむようになる。このことでフィルム２の膨潤前に比べて下側の容積が増大するので、使用開始直後にもかかわらず薬剤Ａの液面が低下して薬剤の残量が減った状態に見え、使用者は違和感を感じる。また、薬剤Ａの減り方が初期は速く、終わりに近づくにつれて遅くなり、インジケーターとしての正確性を担保できない。さらに、図５に示すように容器１を正面から見ると、薬剤の色が下へ行くほど濃くなり、正確な残量の把握ができなくなるという問題もある。
【０００６】
本発明は、かかる点に鑑みてなされたものであり、その目的とするところは、透光性を有する容器内の薬剤を、揮発薬剤透過部材を用いて徐々に拡散させる場合に、薬剤の残量を正確に、かつ、違和感を感じることなく把握できるようにすることにある。
【課題を解決するための手段】
【０００７】
上記目的を達成するために、本発明では、揮発薬剤透過部材の膨潤率を所定以下とした。
【０００８】
第１の発明は、揮発性を有する液状の薬剤を収容するとともに、収容した薬剤を視認可能な透光性を有する容器と、
上記容器の開放部分を覆うように配設され、揮発した薬剤を通し、かつ、揮発していない薬剤を通さないように構成された揮発薬剤透過部材とを備えた薬剤収容具において、
上記揮発薬剤透過部材は、樹脂材からなり、薬剤が含有する溶剤成分による膨潤率が５％以下に設定されていることを特徴とするものである。
【０００９】
すなわち、揮発薬剤透過部材が薬剤の溶剤成分に触れて膨潤する場合、その膨潤率が５％を越えると、上述したように揮発薬剤透過部材が上下に延びるような姿勢で薬剤収容具を配置した際に、使用者が違和感を感じるとともに、残量を正確に把握できなくなる。本発明では、揮発薬剤透過部材が５％以下の範囲で膨潤することになるので、揮発薬剤透過部材の弛み量が十分に少なくなり、揮発薬剤透過部材が上下に延びるような姿勢で薬剤収容具を配置しても、薬剤が下側に溜まる量を抑制することが可能になる。これにより、使用開始直後であるのに液面が大きく低下することが無くなるとともに、上下で薬剤の色が大きく違って見えることはなく、しかも、使用期間中の初期と終わりとで薬剤の減り方に大きな差が生じることもない。
【００１０】
第２の発明は、第１の発明において、
上記揮発薬剤透過部材の膨潤率は、３％以下に設定されていることを特徴とするものである。
【００１１】
この構成によれば、揮発薬剤透過部材の弛み量がより一層少なくなるので、揮発薬剤透過部材が上下に延びるような姿勢で薬剤収容具を配置した際に、使用開始直後の液面の低下が抑制されるとともに、上下で薬剤の色が略同じになり、しかも、使用期間中の初期と終わりとで薬剤の減り方に殆ど差が生じない。
【発明の効果】
【００１２】
第１の発明によれば、揮発薬剤透過部材の膨潤率を５％以下に設定したので、薬剤の残量を正確に、かつ、違和感を感じることなく把握できる。
【００１３】
第２の発明によれば、揮発薬剤透過部材の膨潤率を３％以下に設定したので、本発明の効果がより一層高まり、使用者が違和感を感じない薬剤収容具とすることができる。
【図面の簡単な説明】
【００１４】
【図１】本発明の実施形態に係る薬剤収容具の縦断面図である。
【図２】薬剤収容具の使用前の図１相当図である。
【図３】薬剤収容具の正面図である。
【図４】従来の薬剤収容具の縦断面図である。
【図５】従来の薬剤収容具の正面図である。
【発明を実施するための形態】
【００１５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１６】
図１は、本発明の実施形態に係る薬剤収容具３の使用中における縦断面図であり、図２は、薬剤収容具３の使用前における縦断面図である。薬剤収容具３は、トレイ形状の容器１と、容器１の開放部分を覆うように配設された揮発薬剤透過フィルム２（揮発薬剤透過部材）とを備えている。使用前は、図２に示すように薬剤非透過シート４が揮発薬剤透過フィルム２に貼り付けられている。
【００１７】
容器１は全体として板状をなしており、薬剤Ａが収容される空間となる凹部１ａと、凹部１ａの開口周縁部から外方へ延出する平坦な延出板部１ｂとを備えている。凹部１ａの底面１ｃは略平坦に形成されており、周面１ｄは底面１ｃに対して９０゜に近い角度をなしている。凹部１ａの全体が開放されており、この開放部分の全体が揮発薬剤透過フィルム２によって覆われている。
【００１８】
この容器１では、凹部１ａの深さが全体的に略均一であるが、これに限らず、部分的に深い所や浅い所を形成してもよい。また、容器１は、棒状や柱状の細長い形状であってもよい。
【００１９】
容器１の材料としては、例えばポリエチレン‐テレフタラート（ＰＥＴ）等の無色透明な樹脂材を挙げることができる。容器１は、ＰＥＴ製の板材を加熱プレス成形して得ることができる。
【００２０】
揮発薬剤透過フィルム２は、半透明の樹脂材からなり、揮発した薬剤を通し、かつ、揮発していない薬剤を通さないように構成されている。揮発薬剤透過フィルム２は、例えば、直鎖状低密度ポリエチレン（ＬＬＤＰＥ）で構成することができる。揮発薬剤透過フィルム２を構成する樹脂材は、その非結晶部に薬剤Ａの溶剤の分子が入り込むことで体積が増加する性質、即ち、膨潤する性質を有している。
【００２１】
薬剤非透過シート４は、揮発した薬剤及び液状の薬剤を通さない性質を有しており、例えば、アルミニウムフィルム、ポリエステルフィルム、ポリアミドフィルム、ポリアセタールフィルム等を挙げることができる。この薬剤非透過シート４は、揮発薬剤透過フィルム２における凹部１ａに臨む側と反対側の面の全体に密着した状態で剥離可能に貼り付けられている。
【００２２】
容器１には、揮発性を有する液状の薬剤Ａが収容されている。薬剤Ａは、例えば、殺虫剤や害虫忌避剤と、着色剤と、溶剤とを少なくとも含有している。溶剤は、例えばトランスフルトリン等の殺虫剤、忌避剤及び着色剤を溶解させることができるものであり、かつ、後述する測定方法で揮発薬剤透過フィルム２の膨潤率を５％以下、好ましくは３％以下に設定することができるものであればよい。着色剤は、薬剤Ａを着色するためのものであり、各種色素等を用いることができる。薬剤Ａの色は特に限定されないが、透光性を有する程度に薄く着色するのが好ましい。
【００２３】
揮発薬剤透過フィルム２の膨潤率の測定方法は以下のとおりであり、この測定方法で測定された膨潤率が本願発明の膨潤率である。
【００２４】
まず、揮発薬剤透過フィルム２を５ｃｍ×５ｃｍの正方形に切り取って試験片を作製する。試験片の厚みは、７０μｍである。溶剤を約８ｍｌ用意し、この溶剤中に試験片を２時間浸漬する。この時間内で溶剤の分子が揮発薬剤透過フィルム２の非結晶部に入り込んでいき、揮発薬剤透過フィルム２が膨潤する。２時間経過する前に膨潤が飽和状態となる。
【００２５】
その後、試験片を溶剤中から取り出して試験片に付着している溶剤を濾紙で拭き取り、試験片の重量を測定する。この測定結果をＷａ（ｇ）とする。
【００２６】
重量測定後の試験片を１０５℃の雰囲気中で２時間放置して完全に乾燥させ、再び重量を測定する。この測定結果をＷｂ（ｇ）とする。
【００２７】
そして、下式から膨潤率を算出する。
【００２８】
膨潤率（％）＝（Ｗａ−Ｗｂ）／Ｗｂ×１００
【００２９】
すなわち、揮発薬剤透過フィルム２に溶剤の分子が入り込むことで揮発薬剤透過フィルム２の体積が増加し、これが膨潤という形で現れる。そして、溶剤の分子が多く入り込むほど揮発薬剤透過フィルム２が大きく膨潤することになり、溶剤の分子がどのくらいの量、揮発薬剤透過フィルム２に入り込んでいるかは、乾燥前の試験片の重量Ｗａから完全乾燥後（溶剤の分子が試験片から抜け出た後）の重量Ｗｂを差し引くことで得ることができる。これに基づいて膨潤率を算出することで、膨潤のメカニズムに合致した適切な値を得ることができる。
【００３０】
溶剤の種類によって揮発薬剤透過フィルム２の膨潤率が異なり、本実施形態では、揮発薬剤透過フィルム２の膨潤率が５％以下となる溶剤を用いることができる。樹脂材と溶剤との親和性は、一般的には、ＳＰ値（溶解パラメータ）から判断することができ、ＳＰ値が近いほど膨潤が起こりやすいと考えがちであるが、本発明者らの実験によると、それが必ずしも当てはまらないことが分かった。
【００３１】
薬剤透過フィルム２の膨潤率が５％以下となる溶剤としては以下のものがある。例えば、メタノール、エタノール（膨潤率０．００％）、１−プロパノール（膨潤率２．２７％）、１−デカノール（膨潤率４．７３％）、１−ドデカノール（ドデシルアルコール）、イソブチルアルコール（２−メチルプロピルアルコール，イソブタノール）（膨潤率１．５７％）、イソアミルアルコール（ ３−メチル−１−ブタノール）（膨潤率１．７８％）、１−ペンタノール（膨潤率２．４６％）、２−ブチル−１−オクタノール（膨潤率２．９６％）、２−エチルヘキサノール（膨潤率１．４０％）、２−プロパノール（膨潤率２．２５％）、２−ヘプタノール（膨潤率３．１５％）、エチレングリコール（エタン−１，２−ジオール）（膨潤率０．２３％）、プロピレングリコール（１，２−プロパンジオール）、２−エチル−１，３−ヘキサンジオール（２−Ｅｔｈｙｌ−３−ｐｒｏｐｙｌ−１，３−ｐｒｏｐａｎｅｄｉｏｌ）、１，３−ブタンジオール（ｂ−ブチレングリコール ）、へキシレングリコール（２−メチル−２，４−ペンタンジオール）（膨潤率２．２９％）、ポリエチレングリコール３００、ポリエチレングリコール４００、ジエチレングリコール、トリエチレングリコール（２，２’−Ｅｔｈｙｌｅｎｅｄｉｏｘｙｂｉｓ（ｅｔｈａｎｏｌ））、テトラエチレングリコール、ジプロピレングリコール、ジイソブチルカルビノール（２，６−Ｄｉｍｅｔｈｙｌ−４−ｈｅｐｔａｎｏｌ）、ジアセトンアルコール（４−ヒドロキシ−４−メチル−２−ペンタノン，アセトニルジメチルカルビノール）、ベンジルアルコール（フェニルメタノール）、２−フェニルエタノール（膨潤率１．９６％）、３−メチル−３−メトキシ１−ブタノール（ソルフィット，２−メトキシエタノール）、ハイソルブＭＣ（エチレングリコールモノメチルエーテル）（膨潤率１．５３％）、ハイソルブＤＭ（ジエチレングリコールモノメチルエーテル，２−（２−Ｍｅｔｈｏｘｙｅｔｈｏｘｙ）ｅｔｈａｎｏｌ）（膨潤率１．５５％）、ハイモールＴＭ（トリエチレングリコールモノメチルエーテル，２−［２−（２−Ｍｅｔｈｏｘｙｅｔｈｏｘｙ）ｅｔｈｏｘｙ］ｅｔｈａｎｏｌ）（膨潤率２．１５％）、ハイモールＰＭ（ポリエチレングリコールモノメチルエーテル）（膨潤率１．５９％）、ハイソルブＤＢ（ジエチレングリコールモノブチルエーテル，２−（２−Ｂｕｔｏｘｙｅｔｈｏｘｙ）ｅｔｈａｎｏｌ）（膨潤率２．７８％）、ハイソルブＭＰ（プロピレングリコールモノメチルエーテル，１−Ｍｅｔｈｏｘｙ−２−ｐｒｏｐａｎｏｌ）（膨潤率１．８４％）、ハイソルブＤＰＭ（ジプロピレングリコールモノメチルエーテル，（２−Ｍｅｔｈｏｘｙｍｅｔｈｙｌｅｔｈｏｘｙ）−ｐｒｏｐａｎｏｌ）（膨潤率２．４２％）、ハイソルブＥＰＨ（エチレングリコールモノフェニルエーテル，２−Ｐｈｅｎｏｘｙｅｔｈａｎｏｌ）（膨潤率０．９７％）、ＤＯＷＡＮＯＬ  ＰＭ（プロピレングリコールモノメチルエーテル，１−Ｍｅｔｈｏｘｙ−２−ｐｒｏｐａｎｏｌ）（膨潤率２．００％）、ＤＯＷＡＮＯＬ  ＤＰＭ（ジプロピレングリコールメチルエーテル，（２−Ｍｅｔｈｏｘｙｍｅｔｈｙｌｅｔｈｏｘｙ）−ｐｒｏｐａｎｏｌ）（膨潤率１．８１％）、ＤＯＷＡＮＯＬ  ＴＰＭ（トリプロピレングリコールモノメチルエーテル，３−［３−（３−Ｍｅｔｈｏｘｙｐｒｏｐｏｘｙ）ｐｒｏｐｏｘｙ］−１−ｐｒｏｐａｎｏｌ）（膨潤率２．２９％）、ＤＯＷＡＮＯＬ  ＰＮＰ（プロピレングリコールモノプロピルエーテル，１−Ｐｒｏｐｏｘｙ−２−ｐｒｏｐａｎｏｌ）（膨潤率２．１７％）、ＤＯＷＡＮＯＬ  ＤＰＮＰ（ジプロピレングリコールモノプロピルエーテル，１−（１−Ｍｅｔｈｙｌ−２−ｐｒｏｐｏｘｙｅｔｈｏｘｙ）−２−ｐｒｏｐａｎｏｌ）（膨潤率３．４５％）、ＤＯＷＡＮＯＬ  ＰＮＢ（プロピレングリコールモノブチルエーテル，１−Ｅｔｈｏｘｙ−２−ｐｒｏｐａｎｏｌ）（膨潤率１．９４％）、ＤＯＷＡＮＯＬ  ＤＰＮＢ（ジプロピレングリコールモノブチルエーテル，（２−Ｍｅｔｈｏｘｙｍｅｔｈｙｌｅｔｈｏｘｙ）−ｐｒｏｐａｎｏｌ）（膨潤率３．９５％）、ＤＯＷＡＮＯＬ  ＴＰＮＢ（トリプロピレングリコールブチルエーテル）（膨潤率３．５２％）、シーホゾールＭＧ（セロソルブ，エチレングリコールモノエチルエーテル，２−Ｅｔｈｏｘｙｅｔｈａｎｏｌ）（膨潤率０．６６％）、プロピレングリコールモノエチルエーテル（１−Ｅｔｈｏｘｙ−２−ｐｒｏｐａｎｏｌ）（膨潤率１．７９％）、エチレングリコールモノイソプロピルエーテル（イソプロピルセロソルブ，２−Ｐｒｏｐｏｘｙｅｔｈａｎｏｌ）（膨潤率１．５９％）、プロピルセロソルブ（２−プロポキシエタノール，エチレングリコールモノプロピルエーテル）（膨潤率１．００％）、エチレングリコールモノブチルエーテル（ブチルオキシトール，２−Ｂｕｔｏｘｙｅｔｈａｎｏｌ）（膨潤率２．０７％）、ハイソルブＭＭＭ（エチレングリコールジメチルエーテル，１，２−ジメトキシエタン）（膨潤率４．２３％）、ハイソルブＭＤＭ（ジエチレングリコールジメチルエーテル，２−メトキシエチルエーテル）（膨潤率３．４１％）、ハイソルブＭＴＭ（トリエチレングリコールジメチルエーテル，２，５，８，１１−Ｔｅｔｒａｏｘａｄｏｄｅｃａｎｅ Ｔｒｉｇｌｙｍｅ １，２−ｂｉｓ（２−Ｍｅｔｈｏｘｙｅｔｈｏｘｙ）ｅｔｈａｎｅ）（膨潤率３．３５％）、ハイソルブＭＴＥＭ（テトラエチレングリコールジメチルエーテル，２，５，８，１１，１４−Ｐｅｎｔａｏｘａｐｅｎｔａｄｅｃａｎｅ，１，１１−Ｄｉｍｅｔｈｏｘｙ−３，６，９−ｔｒｉｏｘａｕｎｄｅｃａｎｅ）（膨潤率１．７２％）、ハイソルブＭＰＭ（ポリエチレングリコールジメチルエーテル）（膨潤率２．２７％）、ハイソルブＥＤＥ（ジエチレングリコールジエチルエーテル，１，１’−Ｏｘｙｂｉｓ（２−ｅｔｈｏｘｙ−ｅｔｈａｎｅ））（膨潤率４．３１％）、ハイソルブＥＤＭ（ジエチレングリコールエチルメチルエーテル，−ｅｔｈｏｘｙ−２−（２−ｍｅｔｈｏｘｙｅｔｈｏｘｙ）ｅｔｈａｎｅ）（膨潤率４．３１％）、ハイソルブＢＴＭ（トリエチレングリコールブチルメチルエーテル）（膨潤率４．４９％）、ハイソルブＭＤＰＯＭ（ジプロピレングリコールジメチルエーテル，１，５−Ｄｉｍｅｔｈｏｘｙ−２−ｍｅｔｈｙｌ−３−ｏｘａｈｅｘａｎｅ）（膨潤率３．３７％）、ハイソルブＭＴＰＯＭ（トリプロピレングリコールジメ���ルエーテル）、アイソパーＭ、アイソパーＬ、アイソパーＨ、アイソパーＧ、ソルベッソ２００、ソルベッソ１５０、ペガソール３０４０、エクソールＤ１３０、イソホロン、ｎ−メチルピロリドン、エクアミドＭ１００、エクアミドＢ１００等を挙げることができる。これら溶剤を１種のみで用いてもよいし、２種以上を組み合わせて用いてもよい。
【００３２】
上記溶剤を用いることで、揮発薬剤透過フィルム２の溶剤による膨潤率を５％以下に設定することができる。揮発薬剤透過フィルム２の膨潤率が３％以下となる溶剤を用いるのがより好ましい。さらに好ましいのは、揮発薬剤透過フィルム２の膨潤率が２％以下となる溶剤である。
【００３３】
この実施形態では、容器１をＰＥＴ製としており、溶剤によっては容器１を白化させることがある。容器１を白化させないようにするには、上記溶剤のうち、ハイソルブＥＰＨ、ハイソルブＭＭＭ、ハイソルブＭＤＭ、ハイソルブＭＴＭ、ハイソルブＭＴＥＭ、ハイソルブＭＰＭ、ハイソルブＥＤＥ、ハイソルブＥＤＭ、ハイソルブＢＴＭ、ハイソルブＭＤＰＯＭ、ハイソルブＭＴＰＯＭ、エクアミドＭ１００、エクアミドＢ１００以外の溶剤を用いるのが好ましい。
【００３４】
さらに好ましい溶剤としては、人の周囲で拡散させるものであることから、低臭性をもつものである。また、蒸散速度が速すぎると薬剤Ａがすぐに無くなってしまうので、例えば、薬剤Ａが数十日以上持つ程度の蒸散速度が好ましい。
【００３５】
薬剤Ａには、例えば、防虫剤、芳香剤、消臭剤等を含有させてもよいし、これらを２種以上含有させてもよい。
【００３６】
上記構成の薬剤収容具３を製造する要領は、まず、容器１に薬剤Ａを注入し、薬剤非透過シート４が一体化した揮発薬剤透過フィルム２を容器１の延出板部１ｂに全周に亘って接着する。このとき、揮発薬剤透過フィルム２に薬剤Ａの溶剤が触れるので、溶剤の分子が揮発薬剤透過フィルム２の非結晶部分に入り込み、揮発薬剤透過フィルム２が膨潤する。
【００３７】
上記構成の薬剤収容具３を使用する場合には、薬剤非透過シート４を揮発薬剤透過フィルム２から剥がす。揮発薬剤透過フィルム２は既に膨潤しているので、若干弛むようになることがあるが、膨潤率が５％以下なので、弛み量は十分に小さい。
【００３８】
使用時には、薬剤収容具３を図示しないホルダに保持して立てた姿勢、すなわち、揮発薬剤透過フィルム２が上下に延びる姿勢とする。この状態で、容器１内の薬剤Ａは気体成分が揮発薬剤透過フィルム２から放出されて周囲に拡散する。これにより、殺虫効果や害虫忌避効果を得ることができる。また、薬剤Ａの残量は、容器１が透光性を有しているので、外部から容易に把握することが可能である。
【００３９】
使用時には、重力の影響によって薬剤Ａが下に溜まろうとするが、揮発薬剤透過フィルム２の膨潤率が５％以下となっていて揮発薬剤透過フィルム２の弛み量が十分に小さいので、薬剤Ａが下に溜まりにくくなる。よって、使用開始直後に薬剤Ａの液面が著しく低下してしまうことはなく、使用者が違和感を感じにくい。また、図３に示すように、薬剤Ａが下に溜まりにくくなるので、容器１の上から下まで薬剤Ａの色が同じように見える。さらに、使用期間中の初期と終わりとで薬剤の減り方に大きな差が生じることもない。
【００４０】
すなわち、揮発薬剤透過フィルム２が薬剤Ａの溶剤成分に触れて膨潤する場合、仮にその膨潤率が５％を越えていたとすると、揮発薬剤透過フィルム２が上下に延びるような姿勢で薬剤収容具３を配置した際に、図４に示すように薬剤Ａが下に多く溜まって使用開始直後であるにもかかわらず、液面が下がり、使用者が違和感を感じるとともに、残量を正確に把握できなくなる。
【００４１】
本実施形態では、揮発薬剤透過フィルム２の膨潤率を５％以下に設定したので、薬剤Ａの残量を正確に、かつ、違和感を感じることなく把握できる。
【００４２】
揮発薬剤透過フィルム２の膨潤率を３％以下に設定すれば、揮発薬剤透過フィルム２の弛み量がより一層少なくなるので、使用開始直後の液面の低下をより一層抑制できるとともに、上下で薬剤Ａの色を略同じにすることができ、しかも、使用期間中の初期と終わりとで薬剤Ａの減り方に殆ど差が生じなくなる。
【００４３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００４４】
以上説明したように、本発明に係る薬剤収容具は、例えば殺虫剤や害虫忌避剤等を拡散させるのに使用できる。
【符号の説明】
【００４５】
１      容器
２      揮発薬剤透過フィルム（揮発薬剤透過部材）
３      薬剤収容具
４      薬剤非透過シート
Ａ      薬剤
【図１】
2014094752.tif 000003
【図２】
2014094752.tif 000004
【図４】
2014094752.tif 000005
【図３】
2014094752.tif 000006
【図５】
2014094752.tif 000007